(57)【要約】【課題】  底板、側板、天板、背板を互に連結して筐体を構成するノックダウン方式の組立式キャビネットにおいて、作業者が１人で各構成部材の組立作業を簡単且つ容易に行え、剛性の高い筐体構造とすることが可能な組立式キャビネットを提供する。【解決手段】  底板１の側縁部に形成した係合突条８を側板２の内面と下係合片１２との間に係合し且つネジ１６で側方から締結し、側板の内面と上係合片１３との間に天板３の側縁部に形成した係合突条１０を係合し且つネジ１７で側方から締結し、背板４の下端係止部１４を底板の後縁部に形成した係止突条９に前後移動不能に係止し且つネジ１８で締結し、背板の上端当止部１５を天板の後縁部に形成した係止突条に当止し且つネジ１９で締結して筐体を形成してなる。【選択図】        図２
2006255012.tif 000002
【特許請求の範囲】
【請求項１】
底板、側板、天板、背板を互に連結して筐体を構成するノックダウン方式の組立式キャビネットにおいて、前記底板には上面両側縁部に沿って係合突条を、上面後縁部に沿って係止突条をそれぞれ形成し、前記天板には下面両側縁部に沿って係合突条を、下面後縁部に沿って係止突条をそれぞれ形成し、前記側板には下縁に沿って前記底板の係合突条に係合する下係合片を、上縁に沿って前記天板の係合突条に係合する上係合片をそれぞれ形成し、前記背板には下縁に沿って前記底板の係止突条に係止する係止部を、上縁に沿って前記天板の係止突条に当止する当止部をそれぞれ形成し、前記底板の両係合突条をそれぞれ側板の内面と下係合片との間に受け入れて係合し且つネジで側方から締結するとともに、両側板の内面と上係合片との間にそれぞれ前記天板の両係合突条を受け入れて係合し且つネジで側方から締結し、更に前記背板の係止部を前記底板の係止突条に前後移動不能に係止し且つネジで締結するとともに、前記背板の当止部を前記天板の係止突条に当止し且つネジで締結して筐体を形成したことを特徴とする組立式キャビネット。
【請求項２】
前記側板は、前後縁に沿ってそれぞれ前補強と後補強とを有するとともに、下縁に前記下係合片を有する下補強部材を固定し、上縁に前記上係合片を有する上補強部材を固定し、前記前補強と後補強の下部内面と前記下係合片との間に前記底板の係合突条を係合し、前記前補強と後補強の上部内面と前記上係合片との間に前記天板の係合突条を係合してなる請求項１記載の組立式キャビネット。
【請求項３】
前記側板の下係合片の前後部及び上係合片の前後部にネジを側方から貫通し、側板の適所に固着したナットに螺合するとともに、該ネジに対応する前記底板の係合突条と前記天板の係合突条にそれぞれ切欠部を形成し、前記ネジを前記側板に装着した状態で、前記ネジを対応する係合突条の切欠部に係入した後、各ネジを回転させて前記下係合片及び上係合片と側板内面との間で前記係合突条を締付けて連結してなる請求項１又は２記載の組立式キャビネット。
【請求項４】
前記側板の下補強部材の前端に、前記底板の前框部にネジ止めする固定片を延設してなる請求項１〜３何れかに記載の組立式キャビネット。
【請求項５】
前記側板の下補強部材の前後部に前記下係合片を形成するとともに、中間部に前記底板の上面中央部に横設した底補強部材の上面端部にネジ止めする連結片を形成してなる請求項１〜４何れかに記載の組立式キャビネット。
【発明の詳細な説明】
【技術分野】
【０００１】
本発明は、組立式キャビネットに係わり、更に詳しくは設置現場で簡単に組立てることが可能な組立式キャビネットに関するものである。
【背景技術】
【０００２】
従来から、底板、側板、天板、背板を互に連結して筐体を構成するノックダウン方式のキャビネットは各種提供されている。例えば、特許文献１には、側板の前後部に後方へ開いたコ字形フランジを持ち、後方のフランジは更に折れ曲りフランジとして、該折れ曲りフランジで背板の両側のコ字形フランジ先端とカール巻部を包み込む一方、側板及び背板は上下部にそれぞれ上下に開口したコ字形フランジ部を持ち、天板、底板をそれぞれ上下方向より互いのフランジ及び周縁の凹凸部が嵌合固定するように組合せビス等にて所要を固定してなる組立式鋼製収納庫が開示されている。具体的には、前記背板の両側に側板を係合し、互いに所定の角度に保持した状態で、底板及び天板の両側部の前後部に形成した切欠部に前記側板の前後のフランジと背板の両側のフランジを嵌合し、側板の上下のフランジをそれぞれ天板と底板に上下からビス止めするのである。
【０００３】
また、本出願人の先願に係る特許文献２には、後パネルを内側の背面板とその外面側を覆うハニカム部材等の補強部材付き化粧板とにより構成し、左右両側パネルの後縁係止縁条に前記背面板における左右両側部に互いに内向き対向するように形成した折曲げ係止縁条を被嵌嵌合させる一方、前記左右両側パネルの後縁係止縁条に穿設された係止溝に、着脱自在な落込み式係止体をその下向き開口溝を介して係止し、前記落込み式係止体の上向き開口溝には、前記背面板における折曲げ係止縁条に穿設された係止溝と、化粧板における左右両側部の折曲縁部に穿設された係止溝とを落込み係合し、さらに、天板及び底板の左右側面に左右両側パネルをねじにて締着してキャビネットユニットを構成した組立式キャビネットが提供されている。
【０００４】
前述の特許文献１に記載の組立式鋼製収納庫は、背板の両側に側板を嵌合し、背板と両側板とをそれぞれ直角に保持した状態で地板と天板に凹凸嵌合させなければならず、１人で組立てるのは大変であり、また側板と天板とのビス止め作業は狭い空間内での上向き姿勢で、しかもビスとビス穴との位置合わせにも困難を伴うので作業者に苦痛を強いることになる。一方、特許文献２に記載の組立式キャビネットは、隣接する側パネル同士を連結して複数のキャビネットを次々に側設する構造であるので、単独で剛性を有する筐体構造とはなっていないのである。
【特許文献１】実開昭５７−１４８３３６号公報
【特許文献２】実用新案登録第２５５５８８５号公報
【発明の開示】
【発明が解決しようとする課題】
【０００５】
そこで、本発明が前述の状況に鑑み、解決しようとするところは、底板、側板、天板、背板を互に連結して筐体を構成するノックダウン方式の組立式キャビネットにおいて、作業者が１人で各構成部材の組立作業を簡単且つ容易に行うことができる上に、剛性の高い筐体構造とすることが可能な組立式キャビネットを提供する点にある。
【課題を解決するための手段】
【０００６】
本発明は、前述の課題解決のために、底板、側板、天板、背板を互に連結して筐体を構成するノックダウン方式の組立式キャビネットにおいて、前記底板には上面両側縁部に沿って係合突条を、上面後縁部に沿って係止突条をそれぞれ形成し、前記天板には下面両側縁部に沿って係合突条を、下面後縁部に沿って係止突条をそれぞれ形成し、前記側板には下縁に沿って前記底板の係合突条に係合する下係合片を、上縁に沿って前記天板の係合突条に係合する上係合片をそれぞれ形成し、前記背板には下縁に沿って前記底板の係止突条に係止する係止部を、上縁に沿って前記天板の係止突条に当止する当止部をそれぞれ形成し、前記底板の両係合突条をそれぞれ側板の内面と下係合片との間に受け入れて係合し且つネジで側方から締結するとともに、両側板の内面と上係合片との間にそれぞれ前記天板の両係合突条を受け入れて係合し且つネジで側方から締結し、更に前記背板の係止部を前記底板の係止突条に前後移動不能に係止し且つネジで締結するとともに、前記背板の当止部を前記天板の係止突条に当止し且つネジで締結して筐体を形成してなる組立式キャビネットを構成した（請求項１）。
【０００７】
ここで、前記側板は、前後縁に沿ってそれぞれ前補強と後補強とを有するとともに、下縁に前記下係合片を有する下補強部材を固定し、上縁に前記上係合片を有する上補強部材を固定し、前記前補強と後補強の下部内面と前記下係合片との間に前記底板の係合突条を係合し、前記前補強と後補強の上部内面と前記上係合片との間に前記天板の係合突条を係合してなることが好ましい（請求項２）。
【０００８】
また、前記側板の下係合片の前後部及び上係合片の前後部にネジを側方から貫通し、側板の適所に固着したナットに螺合するとともに、該ネジに対応する前記底板の係合突条と前記天板の係合突条にそれぞれ切欠部を形成し、前記ネジを前記側板に装着した状態で、前記ネジを対応する係合突条の切欠部に係入した後、各ネジを回転させて前記下係合片及び上係合片と側板内面との間で前記係合突条を締付けて連結してなることがより好ましい（請求項３）。
【０００９】
更に、前記側板の下補強部材の前端に、前記底板の前框部にネジ止めする固定片を延設してなることも好ましい（請求項４）。
【００１０】
そして、前記側板の下補強部材の前後部に前記下係合片を形成するとともに、中間部に前記底板の上面中央部に横設した底補強部材の上面端部にネジ止めする連結片を形成してなることがより好ましい（請求項５）。
【発明の効果】
【００１１】
以上にしてなる請求項１に係る発明の組立式キャビネットは、底板に一枚ずつ側板を立起状態に連結した後、両側板の上端に天板を連結し、最後に背板を装着して組立てるので、１人の作業者でも簡単且つ短時間で筐体を組立てることができ、また底板の係合突条を側板の内面と下係合片との間に受け入れて係合し、内方側方からネジ止めするので作業が容易であり、同様に天板の係合突条を側板の内面と上係合片との間に受け入れて係合し、内方側方からネジ止めするので作業が容易である。更に、背板を両側板間に配して、下端の係止部を前記底板の係止突条に前後移動不能に係止するとともに、上端の当止部を前記天板の係止突条に当止し、前記係止部と当止部をそれぞれ係止突条にネジで締結するので、強固な剛性を備えた筐体となるのである。
【００１２】
請求項２によれば、側板は、前後縁に沿ってそれぞれ前補強と後補強とを有するとともに、下縁に下係合片を有する下補強部材を固定し、上縁に上係合片を有する上補強部材を固定したので、部材強度が高い構造となっており、また前補強と後補強の下部内面と下係合片との間に底板の係合突条を係合し、前補強と後補強の上部内面と上係合片との間に天板の係合突条を係合したので、側板と底板及び天板との連結強度が高いのである。
【００１３】
請求項３によれば、側板の下係合片の前後部及び上係合片の前後部にネジを側方から貫通し、側板の適所に固着したナットに螺合した状態で、該側板と底板及び天板とを連結するので、ネジとネジ穴の位置合せをする必要がなく、ネジを片手で保持する必要がないので、狭い空間内でも容易にネジ止め作業を行うことができ、更にネジに対応する底板の係合突条と天板の係合突条にそれぞれ切欠部を形成しているので、側板と底板及び天板との係合作業時に、ネジを対応する係合突条の切欠部に係入することで、前後の位置決めが図れ、それから各ネジを回転させて締付けるだけで、下係合片及び上係合片と側板内面、特に前補強と後補強の内面との間で係合突条を挟持して連結することができる。この側板は、片側ずつ底板に連結することができ、連結後に側板から手を離しても立起状態を保つので組立作業が容易である。
【００１４】
請求項４によれば、側板の下補強部材の前端に延設した固定片を、底板の前框部にネジ止めするので、側板が底板から離れる方向の応力に対しても係合突条と下係合片との係合が外れることが全くないので、連結強度が更に高まるのである。
【００１５】
請求項５によれば、側板の下補強部材の前後部に形成した下係合片の中間部に、連結片を形成し、該連結片を底板の上面中央部に横設した底補強部材の上面端部にネジ止めするので、底板と側板との連結強度が更に高まるのである。
【発明を実施するための最良の形態】
【００１６】
次に、添付図面に示した実施形態に基づき、本発明を更に詳細に説明する。図１は本発明に係る組立式キャビネットの第１実施形態を示し、図２〜図８は第１実施形態の組立式キャビネットの詳細を示し、図中符号１は底板、２は側板、３は天板、４は背板、５は基台、６は底板カバー、７は扉をそれぞれ示している。
【００１７】
本発明に係る組立式キャビネットは、図２に示すように、底板１、側板２，２、天板３、背板４を互に連結して筐体を構成するノックダウン方式のものであり、更に詳しくは基台５の上に前記底板１を載置固定し、該底板１の両側部にそれぞれ側板２を立起状態で連結するとともに、両側板２，２の上端に前記天板３の両側部を連結し、そして両側板２，２の後縁部間に前記背板４を嵌合状態で配し、該背板４の下端を前記底板１の後縁部に落とし込んで前後移動不能となして係止するとともに、該背板４の上端を前記天板３の後縁部に当止し、各部材をネジで締結して剛性の高い筐体となし、更に該筐体の前面開口部の左右に扉７，７を取付けて構成したものである。
【００１８】
具体的には、前記組立式キャビネットは、図２〜図８に示すように、前記底板１には上面両側縁部に沿って係合突条８，８を、上面後縁部に沿って係止突条９をそれぞれ形成し、前記天板３には下面両側縁部に沿って係合突条１０，１０を、下面後縁部に沿って係止突条１１をそれぞれ形成し、前記側板２には下縁に沿って前記底板１の係合突条８に係合する下係合片１２を、上縁に沿って前記天板３の係合突条１０に係合する上係合片１３をそれぞれ形成し、前記背板４には下縁に沿って前記底板１の係止突条９に係止する係止部１４を、上縁に沿って前記天板３の係止突条１１に当止する当止部１５をそれぞれ形成し、前記底板１の両係合突条８，８をそれぞれ側板２の内面と下係合片１２との間に受け入れて係合し且つネジ１６，１６で側方から締結するとともに、両側板２の内面と上係合片１３との間にそれぞれ前記天板３の両係合突条１０，１０を受け入れて係合し且つネジ１７，１７で側方から締結し、更に前記背板４の係止部１４を前記底板１の係止突条９に前後移動不能に係止し且つネジ１８，１８で締結するとともに、前記背板４の当止部１５を前記天板３の係止突条１１に当止し且つネジ１９，１９で締結して筐体を形成する構造である。
【００１９】
更に詳しくは、前記底板１は、前縁に前框部２０を有し、両側縁部に外側に係合段部２１を設けて前記係合突条８を突設し、後縁部に係合段部２２を設けて前記係止突条９を突設したものである。前記係合突条８は、図３及び図５に示すように、前記底板１の底面の側部に固着した縦補強２３の一部で構成し、該縦補強２３は固定片２４から立ち上がった立起片２５の上縁を外側へ断面略Ｌ字形に折曲して前記係合突条８となしている。また、前記係止突条９は、図８に示すように、前記底板１の後部に固着した横補強２６の一部で構成し、該横補強２６は後方に前記係合段部２２となる後固定部２７と底板１の底面に固着した前固定部２８とを有し、該後固定部２７と前固定部２８との間に断面略コ字形の前記係止突条９を一体形成している。更に、図３に示すように、前記係合突条８には、前後部に上方開放した切欠部２９，２９を形成している。
【００２０】
前記側板２は、図２〜図４に示すように、前後縁に沿ってそれぞれ前補強３０と後補強３１とを有するとともに、下縁に前記下係合片１２を有する下補強部材３２を固定し、上縁に前記上係合片１３を有する上補強部材３３を固定した構造である。更に、前記下補強部材３２は、前記側板２の内面に固着する固定片３４の下縁から略水平に延びた水平板３５を有し、該水平板３５の内縁に下方へ延びた前記下係合片１２を延設した形状である。前記水平板３５の前後端の一部を切欠して前記前補強３０と後補強３１の内面に接合状態で溶接し、該前補強３０と後補強３１の内面と前記下係合片１２との間に前記底板１の係合突条８を受け入れる下向き開放した凹溝が形成されている。また、図５に示すように、前記下係合片１２は、その先端縁が外向きに拡がった状態に屈曲形成され、係合突条８への係合を容易にしている。そして、前記側板２の下係合片１２の前後部に貫通孔３６，３６を形成するとともに、該貫通孔３６，３６に対応する前補強３０と後補強３１の内面に通孔３７，３７を形成し且つその内部にナット３８，３８をそれぞれ固定し、前記ネジ１６を前記貫通孔３６と通孔３７を通してナット３８に螺合させておくのである。ここで、前記ネジ１６，１６を前記側板２の下係合片１２に装着した状態で、該ネジ１６，１６の位置と前記底板１の係合突条８に形成した前記切欠部２９，２９の位置は一致させている。
【００２１】
また、前記側板２の上補強部材３３は、図４に示すように、前記下補強部材３２を上下反転させた形状と同一若しくは実質的に同一の構造を有し、前記上補強部材３３は、前記側板２の内面に固着する固定片３４の下縁から略水平に延びた水平板３５を有し、該水平板３５の内縁に上方へ延びた前記上係合片１３を延設した形状である。前記水平板３５の前後端の一部を切欠して前記前補強３０と後補強３１の内面に接合状態で溶接し、該前補強３０と後補強３１の内面と前記上係合片１３との間に前記天板の係合突条１０を受け入れる上向き開放した凹溝が形成されている。そして、下部と同様に、前記上係合片１３の前後部にネジ１７を側方から貫通し、前記前補強３０と後補強３１の内部に固定したナット３８に螺合させている。
【００２２】
また、前記天板３は、図４及び図７に示すように、前記底板１を上下反転させた形状と同一若しくは実質的に同一の構造を有し、前縁に前框部３９を有し、両側縁部に外側に係合段部４０を設けて前記係合突条１０を突設し、後縁部に係合段部４１を設けて前記係止突条１１を突設したものである。前記係合突条１０は、図４に示すように、前記天板３の上面の側部に固着した縦補強４２の一部で構成し、該縦補強４２は固定片４３から垂下した垂下片４４の下縁を外側へ断面略Ｌ字形に折曲して前記係合突条１０となしている。また、前記係止突条１１は、図７に示すように、前記天板３の後部に固着した横補強４５の一部で構成し、該横補強４５は後方に前記係合段部４１となる後固定部４６と天板３の上面に固着した前固定部４７とを有し、該後固定部４６と前固定部４７との間に断面略コ字形の前記係止突条１１を一体形成している。更に、図４に示すように、前記係合突条１０には、前後部に上方開放した切欠部４８，４８を形成している。ここで、前記ネジ１７，１７を前記側板２の上係合片１３に装着した状態で、該ネジ１７，１７の位置と前記天板３の係合突条１０に形成した前記切欠部４８，４８の位置は一致させている。
【００２３】
また、前記背板４は、周囲を前側へ折曲して補強縁部を形成し、下側補強縁部には前記底板１の係止突条９を上方から抱持して前後移動不能に係止する断面略コ字形の係止部１４を一体形成するとともに、上側補強縁部には前記天板３の係止突条１１に当止する断面略Ｌ字形の当止部１５を一体形成してものである。
【００２４】
そして、本発明に係る組立式キャビネットの筐体を組立てるには、先ず、図２及び図８に示すように、前記基台５の上に前記底板１を載置し、適宜ネジ４９，…で固定する。そして、図２、図３及び図５に示すように、前記側板２の下端を前記底板１の係合段部２１に係合すると同時に、前記前補強３０と後補強３１の下部内面と前記下係合片１２との間に前記底板１の係合突条８を係合する。この際に、前記下係合片１２の前後部に装着しておいたネジ１６，１６を、前記係合突条８の切欠部２９，２９に係合させることにより、底板１に対する側板２の前後位置決めをするのである。そして、各ネジ１６，１６を回転させて前記下係合片１２と前記前補強３０と後補強３１の下部内面との間で前記係合突条８を締付けて強固に連結する。前記ネジ１６で締付けると、前記下係合片１２は若干変形し、前記係合突条８の側面に圧接することで、その摩擦力で上方への抜止めを図るのである。この場合、前記下係合片１２の内面に三角ダボを突設し、前記係合突条８の側面に該三角ダボを係合する孔又は凹部を形成することも好ましい。
【００２５】
このように、前記底板１の両側にそれぞれ側板２，２を立起状態に連結した後、図４に示すように、両側板２，２の上端に前記天板３を係合させ、ネジ１７，１７にて締付ける。この係合と締結作業は、前記底板１と側板２との連結作業手順と同様である。即ち、前記側板２の上端を前記天板３の係合段部４０に係合させると同時に、前記上係合片１３の前後部に装着したネジ１７，１７を、前記天板３の係合突条１０の切欠部４８，４８に係合させて、側板２に対する天板３の位置決めを行いながら、前記前補強３０と後補強３１の上部内面と前記上係合片１３との間に前記天板３の係合突条１０を係合し、それから各ネジ１７，１７を回転させて前記上係合片１３と前記前補強３０と後補強３１の上部内面との間で前記係合突条１０を締付けて強固に連結するのである。
【００２６】
最後に、前記背板４を両側板２，２間に配して前記底板１と天板３の後縁部に連結するのであるが、それには前記背板４の両側端を各側板２，２の後補強３１の後方に形成された係合段部５０にそれぞれ嵌合させながら、該背板４の下端を前記底板１の係合段部２２に係合させ且つ前記係止部１４を前記底板１の係止突条９に前後移動不能に係止した後、上端を前記天板３の係合段部４１に係合させ且つ前記当止部１５を前記天板３の係止突条１１に当止し、それから前記係止部１４を上方からネジ１８，１８にて係止突条９の上面に締結するとともに、前記当止部１５を下方からネジ１９，１９にて係止突条１１の下面に締結するのである。そして、前記底板１の上面の略前面を覆うように前記底板カバー６を載置するのである。尚、前記背板４の両側縁を前記側板２の係合段部５０にネジ止めすることも好ましい。
【００２７】
このように、本実施形態では、前記背板４によって底板１、両側板２，２及び天板３の横振れを確実に規制するとともに、該背板４で底板１と天板３とを連結したので、少なくとも前記側板２の後部と底板１及び天板３の連結状態は維持される。また、前部においては、前記底板１と天板３の両側端部にヒンジ５１，…を取付け、該ヒンジ５１，…にて前記扉７，７を回動可能に取付けることにより、該扉７を介して底板１と天板３とが連結されるので、前記側板２の前部と底板１及び天板３の連結状態は維持されるのである。
【００２８】
次に、本発明の第２実施形態を図９〜図１１に基づいて説明する。本実施形態と第１実施形態と異なる部分は、前記底板１と側板２の下方前部との連結構造と、底板１とそのカバーの構造にある。その他は、前記同様であるので、同一構成には同一符号を付してその説明は省略する。本実施形態では、前記側板２の下補強部材３２の形状を変更し、水平板３５の前端に前記底板１の前框部２０の上面に重合する固定片５２を延設し、該固定片５２に形成した孔５３に固定ネジ５４を通して前記前框部２０の上面に形成した下穴５５に螺合するようにしている。これにより、前記側板２の前部も前記底板１に確実に連結された状態を維持することができる。尚、前記側板２の上補強部材３３の前端にも前記同様な固定片５２を形成し、前記天板３の前框部の下面に固定ネジ５４で螺合すると更に好ましいのである。これは、前記扉７が存在しないオープンキャビネットにおいて有効である。また、本実施形態では、前記底板１の上面の前後中間部に、底補強部材５６を横設し、該底補強部材５６の前後の凹部にそれぞれ前底板カバー６Ａと後底板カバー６Ｂを載置嵌合し、前記底補強部材５６と前底板カバー６Ａと後底板カバー６Ｂの上面を面一とすることで、全体として前記底板カバー６と同様な作用をするのである。
【００２９】
最後に、本発明の第３実施形態を図１２〜図１６に基づいて説明する。本実施形態と第２実施形態と異なる部分は、前記底板１の底補強部材５６の側端部と前記側板２の下補強部材３２とを連結するとともに、前記底補強部材５６も含めて底板１の略前面を底板カバー６で覆った構造にある。つまり、本実施形態では、前記側板２の下補強部材３２の前後部に前記下係合片１２，１２を形成するとともに、その中間部に前記底板１の上面中央部に横設した底補強部材５６の上面端部にネジ止めする連結片５７を形成している。前記連結片５７には連結ネジ５８を挿通する通孔５９を形成し、前記底補強部材５６の端部には連結ネジ５８を螺合する下穴６０を形成している。ここで、前記連結片５７は、前記水平板３５の上面よりも下方へ若干段落ち状態で形成し、それに応じて本実施形態の底補強部材５６の高さは、前記第２実施形態の底補強部材５６の高さよりも低く設定し、その上に底板カバー６を載置した際に、該底板カバー６の上面が前記下補強部材３２の水平板３５の上面と略面一になるようにしている。
【００３０】
本実施形態でも、前記下補強部材３２の前側の下係合片１２の前方に前記同様な固定片５２を延設し、該固定片５２を前記底板１の前框部２０の上面に固定ネジ５４で螺着する構成を併用することがより好ましいが、勿論、固定片５２を省略することも可能である。
【００３１】
本発明に係る組立式キャビネットは、単独でも使用できるが、複数台を側方へ連結し、また上下にも連結して壁面収納庫を構成することが可能である。
【図面の簡単な説明】
【００３２】
【図１】本発明に係る組立式キャビネットの第１実施形態の全体斜視図である。
【図２】同じく分解斜視図である。
【図３】底板と側板との連結構造を示す部分斜視図である。
【図４】天板と側板との連結構造を示す部分斜視図である。
【図５】底板と側板の連結状態を示す部分縦断正面図である。
【図６】底板と側板の連結状態を示す部分縦断側面図である。
【図７】天板と背板の連結状態を示す部分縦断側面図である。
【図８】基台と底板と背板の連結状態を示す部分縦断側面図である。
【図９】本発明に係る組立式キャビネットの第２実施形態の全体斜視図である。
【図１０】同じく分解斜視図である。
【図１１】底板と側板との連結構造を示す部分斜視図である。
【図１２】本発明に係る組立式キャビネットの第３実施形態の全体斜視図である。
【図１３】同じく分解斜視図である。
【図１４】底板と側板との連結構造を示す部分斜視図である。
【図１５】底板と側板の連結状態を示す部分縦断正面図である。
【図１６】基台と底板と側板の連結状態を示す部分縦断側面図である。
【符号の説明】
【００３３】
１  底板              ２  側板
３  天板              ４  背板
５  基台              ６  底板カバー
６Ａ  前底板カバー    ６Ｂ  後底板カバー
７  扉                ８  係合突条
９  係止突条          １０  係合突条
１１  係止突条        １２  下係合片
１３  上係合片        １４  係止部
１５  当止部          １６  ネジ
１７  ネジ            １８  ネジ
１９  ネジ            ２０  前框部
２１  係合段部        ２２  係合段部
２３  縦補強          ２４  固定片
２５  立起片          ２６  横補強
２７  後固定部        ２８  前固定部
２９  切欠部          ３０  前補強
３１  後補強          ３２  下補強部材
３３  上補強部材      ３４  固定片
３５  水平板          ３６  貫通孔
３７  通孔            ３８  ナット
３９  前框部          ４０  係合段部
４１  係合段部        ４２  縦補強
４３  固定片          ４４  垂下片
４５  横補強          ４６  後固定部
４７  前固定部        ４８  切欠部
４９  ネジ            ５０  係合段部
５１  ヒンジ          ５２  固定片
５３  孔              ５４  固定ネジ
５５  下穴            ５６  底補強部材
５７  連結片          ５８  連結ネジ
５９  通孔            ６０  下穴
【図１】
2006255012.tif 000003
【図２】
2006255012.tif 000004
【図３】
2006255012.tif 000005
【図４】
2006255012.tif 000006
【図５】
2006255012.tif 000007
【図６】
2006255012.tif 000008
【図７】
2006255012.tif 000009
【図８】
2006255012.tif 000010
【図９】
2006255012.tif 000011
【図１０】
2006255012.tif 000012
【図１１】
2006255012.tif 000013
【図１２】
2006255012.tif 000014
【図１３】
2006255012.tif 000015
【図１４】
2006255012.tif 000016
【図１５】
2006255012.tif 000017
【図１６】
2006255012.tif 000018